(57)【要約】【課題】従来、アルミサッシ等の窓枠に差込んで摘みを回転させて固定する、又は摘みをもってストッパーを突出させる等のアルミサッシ用補助錠があるが、窓枠に取付けたままでサッシの開閉はできない。磁力を利用し取付けたまま使用できるものもあるが、長年月の使用で磁力の低下等に問題がある。【解決手段】箱状の基板に支軸により自在に出没して起伏板を収納するアルミサッシ用補助錠の起伏板の起伏にバネ材を用いる。【選択図】  図２
2004232345.tif 000002
【特許請求の範囲】
【請求項１】
箱状の基板に支軸により自在に出没する起伏板を収納してなるアルミサッシ用補助錠において、上記起伏板の出没にバネ材を用いることを特徴とするアルミサッシ用補助錠。
【請求項２】
バネ材が、杓子形状、長方形状、三角形状及び楕円形状のいずれかである請求項１記載のアルミサッシ用補助錠。
【請求項３】
バネ材が、帯形状であって長手方向に沿って２本の切り込みを設けてなる請求項１又は２記載のアルミサッシ用補助錠。
【発明の詳細な説明】
【０００１】
【発明の属する技術分野】
本発明は、アルミサッシ用補助錠に関する。更に詳しくは、基板に支軸により自在に出没する起伏板をバネ部により出没させるアルミサッシ用補助錠に関する。
【０００２】
【従来の技術】
従来、引き戸式のガラス戸やアルミサッシには、夜間又は留守の時に鎖錠し更に開戸しないように、また、通風のために一定間隔以上に開かないようにするために、種々の補助錠が用いられている。例えば、補助錠の突出部を引き戸やアルミサッシの枠と敷居との間の溝に差込んで摘みネジを回転させて枠と敷居を固定させる、また、枠の横方向の所定位置に取付け板を粘着テープ又はネジ止めして取り付けておき、使用時に別に用意した固定具を上記取付け板に嵌め込み、摘みネジを回転させるか、左右に押して戸を固定させるようにした補助錠が広く用いられている。また、ラチェット歯等を用いた補助錠や更に上記のような補助錠に施錠を施したものも知られている（例えば、非特許文献１、２及び特許文献１、２）。
【０００３】
また、引き戸の上框又は下框の召し合わせ端部に取付けて、係止金具に鋸歯状突起に対向して爪を突設したレバーを枢着し、該レバーにバネを装着して力が加わるようにした補助錠も知られている（例えば、特許文献３、４）。
【０００４】
また、サッシ戸の内側戸の下枠の召し合わせ端部に取付けて、他方の戸枠の側端に当接して起伏板が自在に出没する補助錠も知られている（例えば、特許文献５）。
【０００５】
また更に、サッシ戸の下枠の召し合わせ端部に取付けて、ストッパーに連動する板を押すか、摘みを左右に移動させることでストッパーが出没して他方の戸枠の端部に当接して戸を開かないようにする、また、上記摘みの移動に伴ないロック部材が働き、施錠される等の補助錠も知られている（例えば、特許文献６、７）。
【０００６】
【非特許文献１】
「暮らしの手帳、第３２号」、暮らしの手帳社、昭和４９年（１９７４）１０月１日、ｐ．８８−８９
【非特許文献２】
「オレンジページ、第９巻第１４号」（株）オレンジページ社、１９９３年７月２日、ｐ．１７０−１７１
【特許文献１】
特開２０００−２６５７３４
【特許文献２】
実用新案登録第９４６８１１号
【特許文献３】
実用新案登録第１１２５７８０号
【特許文献４】
実用新案登録第１１３３７０２号
【特許文献５】
実用新案登録第１５１０２３６号
【特許文献６】
特開２００２―４６７０
【特許文献７】
特開２００２―４６７１
【０００７】
【発明が解決しようとする課題】
しかしながら、引き戸やサッシ戸の外側戸と内側戸の隙間は、サッシ戸の場合で大きくて５〜６ｍｍ程であり、多くの場合、補助錠の全体又は一部を取り除いた状態では戸を左右に交差して移動させることが可能であるが、補助錠を取付けたままでサッシ戸を開閉することは殆ど不可能である。従って施錠しない時には補助錠の全体又は一部の部材を外す必要があり、取付け用部材の保管を必要とし、また、同部材を失する虞がある。
【０００８】
また、多くの場合施錠の固定には力を入れて締め付ける必要があり、女性等の力の弱い者には、しっかりと固定できない問題がある。また、サッシ枠の上端に取付ける場合には、踏み台等を必要とする。また更に補助錠を使用していることは、殆どの場合、外部から窓ガラスを通して施錠の状態も観察され、解錠される虞がある。
【０００９】
また更に、多くの補助錠は、セットして締め付け等の操作を要し、その取付けに手間・時間を要しているので、逆に火事や地震等の緊急時には、解錠するまでに手間・時間を要し、緊急避難の際の逃げ道の確保や換気等に障害を起こす虞がある。
【００１０】
以上のように従来の補助錠は、取付けに手間が掛かり、更に取付け後の操作も、施錠・解錠に手間がかかり、女性や子供でも簡単に操作できるものではない。
【００１１】
本発明者は、上記の問題を解決し、取付けたままで戸の開閉ができ、更に操作も簡単で指先で押すだけでストッパーが作動して施錠ができる補助錠としてマグネットを利用した出願を行った（特許文献５）。
【００１２】
しかし上記出願は、マグネットを用いて起伏板を起伏させるもので、マグネットの磁力が時間と共に低下する問題がある。それは長期間の使用（２０年間程使用した例がある。）に伴なう磁力の低下と共に、取付けたままにしておくことによりマグネットにゴミや鉄粉を含む砂ホコリ等が付着したり、堆積したりして磁性の働きが妨害されて、起伏板が動かなくなったり、自然に作動するようになったりして操作上に大きな支障を来たす虞がある。また、マグネットは磁力を維持するためにできるだけ大きく、厚みも必要とするが、近年のアルミサッシの普及に伴ない、アルミサッシの規格化が進み、精度高い製品が製造されるようになり、補助錠の取付ける隙間も規格化されて狭くなり、一定した厚みの薄い補助錠が求められるようになってきている。
【００１３】
本発明は、上記の問題を解決するもので、マグネットを用いないので磁力の低下による問題もなく、その上補助錠の厚みを薄くすることができることで、補助錠の全てを取付けたままでサッシ戸の開閉を自由に行うことができるようになり、従って外した部材の紛失を心配することもなく、更に道具も必要とせずに簡単に取付けることができて、且つ誰でも簡単に指で押すだけで使用状態にも、解除もできる上に、補助錠を一度取付ければ長期間安定して使用することができ、更に厚みを薄くしたことで補助錠を取付けてあることが殆ど外部から見えることがなくなり、また、緊急時における解錠も容易にできるアルミサッシ用補助錠を提供することを目的とする。
【００１４】
【課題を解決するための手段】
本発明は、（１）箱状の基板に支軸により自在に出没する起伏板を収納してなるアルミサッシ用補助錠において、上記起伏板の出没にバネ材を用いることを特徴とするアルミサッシ用補助錠、（２）バネ材が、杓子形状、長方形状、三角形状及び楕円形状のいずれかである上記（１）記載のアルミサッシ用補助錠、及び（３）バネ材が、帯形状であって長手方向に沿って２本の切り込みを設けてなる上記（１）又は（２）記載のアルミサッシ用補助錠、を要旨とする。
【００１５】
【発明の実施の形態】
本発明について、以下に実施例をもとに詳細に説明する。
【００１６】
図１は、本発明のアルミサッシ用補助錠１の１例であり、使用前の状態（ａ）と使用している状態（ｂ）を示す斜視図である。
図２は、図１に示すアルミサッシ用補助錠１について支軸部材４を外して開いた時の状態を示す斜視図である。
図３は、本発明のアルミサッシ用補助錠１の他の例について支軸部材４を外して開いた時の状態を示す斜視図である。
図４は、上記アルミサッシ用補助錠１をアルミサッシ窓の下枠に取付けて使用状態にしている状態を示す部分斜視図である。
【００１７】
本発明のアルミサッシ用補助錠１は、図１、２に示すように基板２と起伏板３は、いずれも長方形の一方に開口した箱状に形成され、各辺端部には、側片２１〜２３、３１〜３３等が設けられている。基板２と起伏板３は、各々の側片が相対して向き合わせて起伏板３が基板２の開口面から突出しない状態に基板２に内接して収納される。両者の側片は互いに接しても起伏板３が起伏する際に抵抗なく出入できる大きさに形成されている。
【００１８】
上記のように基板２に起伏板３を収納した状態（図１（ａ））で、基板２の長辺端部から５分の１から６分の１の位置に、基板２の側片２１、２２と起伏板３の側片３１、３２の全てを貫通して軸支孔１５を設け、該軸支孔１５に支軸部材４を挿通して基板２と起伏板３を軸支する。
【００１９】
本発明補助錠１は、取付け後１０〜２０年の長期間使用することもあるので、その間錆びたりしない材質、又は破壊したりしない強度が求められることから、基板２、起伏板３及びその他の部材には、金属製であればステンレス、ニッケル・クロム鋼、或いは鋼材、ステンレス材等に、鍍金や焼き付け塗装を施したもの等が用いられ、プラスチック材としてガラス繊維、炭素繊維等で強化した強化プラスチックを用いることができる。
【００２０】
基板２は、大きさが、長辺６０〜９０ｍｍ、短辺２０〜４０ｍｍ、側片の最高部の高さ３〜５ｍｍの開口した長方形箱状を形成し、長辺が６５〜７７ｍｍ、短辺が２４〜２６ｍｍ、側片２０の高さが３〜４ｍｍであるのが好ましい。
【００２１】
上記基板２に設けられる側片は、長・短辺の４辺全てに設けることができるが、２本の長辺のみに設けて短辺には設けなくてもよい。また、長辺に設ける２本の側片２１、２２の基板２の長手方向の両端部は、上記側片２１、２２より低い高さの側片として設けることもでき、また、側片のない状態としてもよい。
【００２２】
起伏板３は、基板２の側片内に丁度納まる大きさの長方形に形成されており、起伏板３には、基板２と同様に長・短片の４辺に側片を設けることもできるが、長辺の２辺と起伏板３が起伏する側（以下、起伏側という。）の短片の１辺に各々側片３１，３２、３３を設けて、基板２と起伏板３が支軸部材４で軸止される側（以下、支軸側という。）には、側片を設けずに、軸止孔１５の上部近辺から軸支側の短辺に向って勾配１６が設けられているのが好ましい（図２、３参照）。該勾配１６は、起伏板３を押した時に、該起伏板３の支軸側の下端が深く下がることで、確実に起伏板３の前方が高く起きて、ストッパーとしてより効果的に働くために設ける。
【００２３】
基板２と起伏板３は、あおり止め６によって連結されている。該あおり止め６は、ステンレス製丸棒又は針金を凸状に曲げて形成されており、その凸状上部が起伏板３の支持部材１０により遊動するように取付けられ、他方凸状下部の２つの曲り部は、基板２の起伏側に設けた掛合部８ａ、８ｂに軸着され、起伏板３が動くように基板２に連結されている。また、上記掛合部８ａ、８ｂに隣接してあおり止め６を係止する係止部７ａ、７ｂが設けられている。
【００２４】
上記係止部７ａ、７ｂは、基板２の裏からプレス成形で２箇所の打抜いた部分を両部の向き合った方向に蒲鉾状に形成してバネとして働きを持ち、基板２に起伏板３を収納した時にあおり止め６の２個の凸状の側部が、係止部７ａ、７ｂの各々に係止された後、起伏板３を押さない限りしっかりと起伏板３を保持している。更にまた、上記支持部材１０の支軸側の先端部１１は、起伏板３に当接せず離れており、上記先端部１１と起伏板３の間に下記バネ材５の差込部１８が差込まれるように形成されている。
【００２５】
基板２には、短手方向の略中央に位置し、長手方向の略中央から支軸側にかけて、バネ部材５が取付けられている。該バネ部材５は、支軸側に設けられたネジ孔によって基板２にリベット止めにより固定され、起伏側にバネ部が伸び、先端には差込部１８が設けられている。
【００２６】
バネ材５は、バネ鋼製、ステンレス製、又は燐青銅製であるのが好ましく、その形状には、平らな棒状、帯状等が挙げられ、取付け用のネジ孔が設けられている。図２に示す帯状形状の場合には、帯状の長手方向に沿って平行に２本の切り込みが設けられ、３本のバネ部より形成され、その内の中バネ１７は他の２本のバネ部より若干長く延伸して形成されており、それによりバネ力がよく働くように形成されている。該バネ材５の先端の差込部１８は、基板２の反対方向に反っており、起伏板３と支持部材１０の先端部１１との間に差込まれる。
【００２７】
更にバネ材５の下には中バネ１７の下を中心として支持台１９を基板２に固定して設けておくことによりバネ力がよく効くようになる。支持台１９は、基板２に裏面からプレス加工等により打ち出して隆起させて設けてもよく、また、基板２の表面に適宜の大きさのステンレス鋼材片等を熔接等によって固着して設けることもできる。上記バネ材５は、上記ネジ孔により基板２にネジ止め又はリベット止め、若しくは熔接により取付けることができる。
【００２８】
上記起伏板３は、図２に示すようにあおり止め６の支持部材１０の遊動する範囲で動き、基板２に支軸部材４によって軸着された後は、バネ部材５によって上記支持部材１０の遊動する範囲で起伏するよう形成されている。また、起伏板３の表面には、支軸側の端部に押す位置を示すマーク１２、又は文字をもって表示するのが好ましい。また、起伏する方向を矢印又は文字等で示しても良い。
【００２９】
上記基板２の裏面には、剥離紙で覆われた両面接着性テープ（図示せず。以下、「両面テープ」という。）が貼付されており、補助錠１を取付ける時に剥離紙を剥がし接着面を表出させて所定の位置に接合して取り付けることができる。また、上記補助錠１の起伏板３と基板２を貫通する孔を設けておいて起伏板３上からネジ止めして取付けることもできる。その際には、基板２がネジ止めされるように起伏板３の孔は、ネジ頭より大きめの径に設けておくのが好ましい。また、孔の位置は、バネ材５の位置を外した位置に設ける。
【００３０】
上記両面テープを用いて取付けた時のテープの強度及び補助錠１の強度について、補助錠１を両面テープ面を貼付して取付け後、長手方向の端部から荷重を連続して加えて補助錠１の位置のずれを観察した。その結果従来品が４０ｋｇで接着面がずれ始めたのに対し、本発明の補助錠１は５７ｋｇで動き始めた。また、補助錠１を長手方向に立てて、その端部から荷重を掛けていくと本発明品は８０ｋｇで歪み始めた。この結果、補助錠１は十分な強度を有し、また、両面テープで取付けても十分実用的な強度を有することがわかった。
【００３１】
更に本発明のアルミサッシ用補助錠１の他の実施例について説明すると、図３に示すように、基板２及び起伏板３の基本的な構造は同じであるが、先の実施例とはバネ材５とその周辺の構成が異なっている。
【００３２】
図３の例のバネ材５は、形状が杓子状を形成し、切れ目は設けず、支持台も必要としない。杓子状のバネ材５の柄側は、ネジ９等の固定手段によって基板２に固定され、他方の中間から先端は、基板２に対し反対方向に反っており、先端程反りが大きくなるように形成されている。バネ材５には、バネ力の強力なバネ材が用いられる。燐青銅製又はバネの強いステンレス鋼板等が好ましい。上記バネ材５は上記形状に限定されるものではなく、平らで細長い棒状、三角形状、楕円形状等の細長い形状が好ましい。
【００３３】
本発明のアルミサッシ用補助錠１の使用法について説明すると、使用前は図１（ａ）に示すように、起伏板３が伏せられ基板２に収納されている。この状態で基板２の裏面の剥離紙を除き、図４に示すように外側のサッシ窓の下枠の内側に接着面を接合し、強く押しつけて固着させる。固定後適宜の時間放置してもよい。取付け後、起伏板３のマーク１２を指先で押すと起伏板３が起きて使用状態となり、内外の２枚のサッシ窓は開閉できなくなる。開閉できるようにするには、起伏板３の支軸側を押せば、起伏板３は基板２に収納されて補助錠は解除状態となり、そのままでサッシ窓は左右に自由に開閉できるようになる。
【００３４】
【発明の効果】
本発明のアルミサッシ用補助錠は、箱状の基板に支軸により自在に出没する起伏板を収納してなるアルミサッシ用補助錠において、上記起伏板の出没にバネ材を用いることにより、従来磁力により起伏板を起伏させる場合において、長年月使用した時の磁力の低下及びゴミや砂ボコリ等の付着・堆積により磁性の低下や変化等が起こるという問題を解決し、一度取付ければ長年月変わることなく補助錠として利用できるという効果が得られる。
【００３５】
また、本発明のアルミサッシ用補助錠は、取付けが簡単で、しかもワンタッチで操作ができるので施錠・解錠は誰にでもでき、しかもバネ材の利用で厚みを薄くすることが可能となり、サッシに取付けたままで使用できるので、部品の保管や紛失等の問題もなくなると同時に、近年の規格化が進んで精度の高いアルミサッシ窓等に対応して用いることができるという効果が得られる。
【図面の簡単な説明】
【図１】（ａ）本発明のアルミサッシ用補助錠の使用前の状態を示す斜視図である。
（ｂ）本発明のアルミサッシ用補助錠を取付けて使用している状態を示す斜視図である。
【図２】図１のアルミサッシ用補助錠の支軸部材を外して起伏板を起伏方向に開いた状態を示す斜視図である。
【図３】本発明のアルミサッシ用補助錠の他の例について、支軸部材を外して起伏板を起伏方向に開いた状態を示す斜視図である。
【図４】アルミサッシ用補助錠をアルミサッシに取付けて使用している状態を示す斜視図である。
【符号の説明】
１          アルミサッシ用補助錠
２          基板
３          起伏板
４          支軸部材
５          バネ部材
６          あおり止め
７ａ，７ｂ  係止部
８ａ，８ｂ  掛合部
９          ネジ
１０        支持部材
【図１】
2004232345.tif 000003
【図２】
2004232345.tif 000004
【図３】
2004232345.tif 000005
【図４】
2004232345.tif 000006